(57)【要約】【課題】防盗性を向上させた自動販売機を提供すること。【解決手段】外扉２の外表面をなす操作パネル部２０と、操作パネル部２０に近接して配置し、操作パネル部２０が離反したことを検出するリミットスイッチ２１と、操作パネル部２０が離反した場合に警報を発する警報手段とを備えたので、外扉２の外表面をなす操作パネル部２０がめくり上げられた場合には警報を発して盗難を抑止できる。また、リミットスイッチ２１は操作パネル部２０と近接している場合に通電し、操作パネル部２０と離反した場合に非通電となるので、リミットスイッチ２１が破壊された場合にも警報を発して盗難を抑止できる。【選択図】        図２
2005107584.tif 000002
【特許請求の範囲】
【請求項１】
外扉の外表面をなす板状部材と、
該板状部材に近接して配置し、板状部材が離反したことを検出する検出手段と、
板状部材が離反した場合に警報を発する警報手段と
を備えたことを特徴とする自動販売機。
【請求項２】
前記検出手段は、
板状部材と近接している場合に通電し、
板状部材と離反した場合に非通電となることを特徴とする請求項１に記載の自動販売機。
【発明の詳細な説明】
【技術分野】
【０００１】
本発明は、自動販売機に関し、特に貨幣の盗難を抑止する自動販売機に関するものである。
【背景技術】
【０００２】
従来、内部に収納した商品または貨幣の防盗性を向上するべく、本体キャビネットを閉塞する外扉を支承するヒンジ部を強化した自動販売機（例えば、特許文献１参照）、ヒンジ部を被覆した自動販売機（例えば、特許文献２参照）、自動販売機の操作パネル部を防護部材により被覆した自動販売機（例えば、特許文献３参照）等が提案されている。また、正規な手順に従わずに外扉を開放した場合には、防盗ブザー等の警報手段が作動する自動販売機が提案されている（例えば、特許文献４参照）。
【０００３】
【特許文献１】特開２０００−３０６１５２号公報
【特許文献２】特開２００１−１４５２９号公報
【特許文献３】特開２００３−１８７３１４号公報
【特許文献４】特開２００３−１０６０２１号公報
【発明の開示】
【発明が解決しようとする課題】
【０００４】
しかしながら、このように防盗性を向上させた自動販売機であっても、外扉の外表面をめくり上げて、貨幣を盗む場合には、ヒンジ部の強化、ヒンジ部の被覆、操作パネル部の被覆をしても十分に盗難を防止できない。また、外扉を開放することなく外扉の外表面をめくり上げた場合には、外扉を開放しないので、警報手段は作動せず、盗難を抑止できない。
【０００５】
本発明は、上記実情に鑑みて、外扉の外表面をめくり上げて行う貨幣の盗難を防止する自動販売機を提供することを目的とする。
【課題を解決するための手段】
【０００６】
上記の目的を達成するために、本発明の請求項１に係る自動販売機は、外扉の外表面をなす板状部材と、該板状部材に近接して配置し、板状部材が離反したことを検出する検出手段と、板状部材が離反した場合に警報を発する警報手段とを備えたことを特徴とする。
【０００７】
また、本発明の請求項２に係る自動販売機は、上記請求項１において、前記検出手段は板状部材と近接している場合に通電し、板状部材と離反した場合に非通電となることを特徴とする。
【発明の効果】
【０００８】
本発明に係る自動販売機は、外扉の外表面をなす板状部材と、近接して配置し、板状部材が離反したことを検出する検出手段と、板状部材が離反した場合に警報を発する警報手段とを備えたので、外扉の外表面をなす板状部材がめくり上げられた場合には警報を発して盗難を抑止するという効果を奏する。
【０００９】
また、検出手段は、板状部材と近接している場合に通電し、板状部材と離隔した場合に非通電となるので、検出手段が破壊された場合でも盗難を抑止するという効果を奏する。
【発明を実施するための最良の形態】
【００１０】
以下に添付図面を参照して、本発明に係る自動販売機の好適な実施例を詳細に説明する。なお、この実施例によりこの発明が限定されるものではない。
【実施例】
【００１１】
図１は、本発明に係る自動販売機を示す図、図２は検出手段の例１を示す外扉の断面図、図３は検出手段の例２を示す外扉の断面図、図４は検出手段の例３を示す外扉の断面図である。
【００１２】
図１に示すように、本発明に係る自動販売機は、本体キャビネット１と、本体キャビネット１に設けた商品収容室（図示せず）の前面開口部を覆う内扉（図示せず）と、内扉の外方において、本体キャビネット１の前面開口部を覆う外扉２とを備えている。
【００１３】
外扉２の前面には、硬貨投入口３、紙幣挿入口４、金額表示器５、返却レバー６、返却口７が配設してある。硬貨投入口３は、外扉２の内側面に取り付けたコインメカニズム（図示せず）と連通しており、コインメカニズムは硬貨投入口３から硬貨を受け容れて貯留する一方、釣銭が必要な場合に返却口７に硬貨を払い出す。紙幣挿入口４は、外扉２の内側面に取り付けたビルバリデータ（図示せず）と連通しており、ビルバリデータは紙幣挿入口４から紙幣を受け入れて貯留する。金額表示器５は、硬貨投入口３または紙幣挿入口４から挿入した貨幣の合計金額を表示するものであり、返却レバー６は、取引の中断操作をするものである。そして、返却レバー６が操作された場合には、コインメカニズムが硬貨投入口３から受け容れた硬貨を返却口７に返却し、ビルバリデータが紙幣挿入口４から挿入された紙幣を紙幣挿入口４に返却する。
【００１４】
また、外扉２の上部域には、展示室８が形成してあり、下部域には商品取出口９が形成してある。展示室８は、外扉２の後方側に開閉可能に取り付けた中扉（図示せず）と、外扉２の前面にはめ込んだ透明板１０とにより構成してあり、利用者が自動販売機の前面側から展示室８の内部を透視できるようになっている。展示室８には、商品見本１１が展示してあり、外扉２の前面にはめ込んだ透明板９には、商品見本１１に関連づけて商品選択ボタン１２が配設してある。商品選択ボタン１２は商品収容室に配設した各商品ラック（図示せず）と対応しており、商品選択ボタン１２を押下すると、商品見本１０と対応する商品が商品ラックから商品取出口９に搬出される。
【００１５】
上述した外扉の外表面の一部をなす板状部材、特に、硬貨投入口３、紙幣挿入口４、金額表示器５、返却レバー６を配設した部分（以下、操作パネル部２０という。）は、外扉２を開けることなく貨幣を盗む場合に特に破壊されやすい部分であり、この操作パネル部２０の内表面に近接して、検出手段３０が配設してある。
【００１６】
検出手段３０は、操作パネル部２０がめくり上げられた場合に、操作パネル部２０の離反を検出するものであり、たとえば、図２に示すように、可動片２１ａを有するリミットスイッチ２１であり、通常時にはリミットスイッチ２１の可動片２１ａが操作パネル部２０の内表面に押しつけられて、通電状態となり、操作パネル部２０がめくり上げられた場合にはリミットスイッチ２１の可動片２１ａが操作パネル部２０の内表面から離反して非通電状態となる。そして、この通電状態から非通電状態への移行により操作パネル部２０がめくり上げられたと判断する。
【００１７】
検出手段３０は、警報手段３１に接続してあり、検出手段３０が通電状態から非通電状態に移行した場合に、警報を発するようになっている。警報手段３１は、たとえば、図１に示すように、展示室８の内部に配設してあり、発光またはブザー音により、自動販売機が破壊され、盗難に遭っていることを近隣に報知する。
【００１８】
また、検出手段３０は、ニッカド電池またはリチウム電池等の充電式電池に接続してあり、自動販売機への電力供給が中断された場合であっても、継続して操作パネル部２０の離反を検出可能である。
【００１９】
また、検出手段３０は、図３に示すように、光検出部４１ａを有する光電スイッチ４１であっても良い。光電スイッチ４１の場合には、光検出部４１ａを操作パネル部２０の内表面近傍に配置する。通常時には操作パネル部２０により光が遮蔽され通電状態となり、操作パネル部２０がめくり上げられた場合には光検出部４１ａの露出により外部からの光を検知して非通電状態となる。そして、この通電状態から非通電状態への移行により操作パネル部２０がめくり上げられたと判断する。
【００２０】
なお、検出手段３０が警報手段３１に接続してある点、検出手段３０が充電式電池に接続してある点については、図１に示した検出手段３０と同様である。
【００２１】
また、検出手段３０は、図３に示すように、投光部５１ａと受光部５１ｂとを有するフォトインタラプタ５１であっても良い。フォトインタラプタ５１の場合には、操作パネル部２０から断面Ｌ字状の検出片２０ａを起立させ、検出片２０ａが投光部５１ａと受光部５１ｂとの間を遮るように配設してある。そして、通常時には検出片２０ａが投光部５１ａの光を遮って通電状態にあり、操作パネル部２０がめくり上げられた場合には、検出片２０ａが投光部５１ａと受光部５１ｂとの間からはずれて非通電状態となる。そして、この通電状態から非通電状態への移行により操作パネル部２０がめくり上げられたと判断する。
【００２２】
なお、検出手段３０が警報手段３１に接続してある点、検出手段３０が充電式電池に接続してある点については、図１に示した検出手段と同様である。
【００２３】
本発明の実施例に係る自動販売機によれば、操作パネル部２０（板状部材）が離反した場合に、検出手段３０が検出し、警報手段３１が警報を発するので、自動販売機を設置した近隣に注意を促す。このため、自動販売機の破壊を中断させ、貨幣の盗難を抑止する。
【００２４】
また、検出手段３０は操作パネル部２０（板状部材）と近接している場合に通電し、操作パネル部２０と離反した場合に非通電となるので、検出手段３０が破壊された場合には非通電となる。このため、検出手段３０が破壊された場合にも、警報手段が警報を発するので、自動販売機を設置した近隣に注意を促す。このため、自動販売機の破壊を中断させ、貨幣の盗難を抑止する。
【産業上の利用可能性】
【００２５】
以上のように、本発明に係る自動販売機は、貨幣の盗難抑止に有用であり、特に、外扉の外表面をめくり上げて行う貨幣の盗難の抑止に適している。
【図面の簡単な説明】
【００２６】
【図１】本発明に係る自動販売機を示す正面図である。
【図２】検出手段の例１を示す外扉の断面図である。
【図３】検出手段の例２を示す外扉の断面図である。
【図４】検出手段の例３を示す外扉の断面図である。
【符号の説明】
【００２７】
１    本体キャビネット
２    外扉
３    硬貨投入口
４    紙幣挿入口
５    金額表示器
６    返却レバー
７    返却口
８    展示室
９    商品取出口
１０    透明板
１１    商品見本
１２    商品選択ボタン
２０    操作パネル部
２０ａ  検出片
２１    リミットスイッチ
２１ａ  可動片
３０    検出手段
３１    警報手段
４１ａ  光検出部
４１    光電スイッチ
５１    フォトインタラプタ
５１ａ  投光部
５１ｂ  受光部
【図１】
2005107584.tif 000003
【図２】
2005107584.tif 000004
【図３】
2005107584.tif 000005
【図４】
2005107584.tif 000006